(57)【要約】  光源モジュール（７２）と、凸側面（７４ｂ）及び凹側面（７４ａ）を有する第１のメニスカスレンズ（７４）と、凸側面（７６ｂ）及び凹側面（７６ａ）を有する第２のメニスカスレンズ（７６）とを含む集光照明システムが開示されている。第２のメニスカスレンズ（７６）の凹側面（７６ａ）が第１のメニスカスレンズ（７４）の凸側面（７４ｂ）に隣接するとともに、第１のメニスカスレンズ（７４）の凹側面（７４ａ）が光源モジュール（７２）に面してそこから光を受け取る。さらに複数の光源モジュールと、各対が光源モジュールに関連する複数対のメニスカスレンズを備える光学素子系とを含む集光照明システムが開示されている。
2007524975.tif 000002
【特許請求の範囲】
【請求項１】
光源モジュールと、凸側面及び凹側面を有する第１のメニスカスレンズと、凸側面及び凹側面を有する第２のメニスカスレンズとを備え、
前記第２のメニスカスレンズの前記凹側面が前記第１のメニスカスレンズの前記凸側面に隣接するとともに、前記第１のメニスカスレンズの前記凹側面が前記光源モジュールに面してそこから光を受け取ることを特徴とする、照明システム。
【請求項２】
前記第１のメニスカスレンズが前記第２のメニスカスレンズと接している、請求項１に記載の照明システム。
【請求項３】
前記第１および第２のメニスカスレンズが光学的に透明な材料によって共に保持されている、請求項１に記載の照明システム。
【請求項４】
前記光源モジュールが出射面と、前記出射面を覆って配置された実質的に光学的に透明なドームとを備える、請求項１に記載の照明システム。
【請求項５】
前記光源モジュールが出射面と、前記出射面を覆って配置された角錐集光器とを備える、請求項１に記載の照明システム。
【請求項６】
前記角錐集光器が略正方形の近位端と略矩形の遠位端とを有する、請求項５に記載の照明システム。
【請求項７】
前記光源モジュールが互いに隣接配置された複数の出射面を備えるとともに、前記第１のメニスカスレンズの前記凹側面が前記光源モジュールの前記出射面に面してそこから光を受け取る、請求項１に記載の照明システム。
【請求項８】
前記出射面の少なくとも２つが異なる色を有する、請求項７に記載の照明システム。
【請求項９】
前記光源モジュールが第１、第２および第３の色の出射面を有する、請求項６に記載の照明システム。
【請求項１０】
前記第１、第２および第３の色が原色である、請求項９に記載の照明システム。
【請求項１１】
複数の光源モジュールと、
各対が光源モジュールに関連するとともに、凸側面及び凹側面を有する第１のメニスカスレンズと凸側面及び凹側面を有する第２のメニスカスレンズとを含む、複数対のメニスカスレンズを備える光学素子系とを備え、
前記第２のメニスカスレンズのそれぞれの前記凹側面が前記第１のメニスカスレンズのそれぞれの前記凸側面に隣接するとともに、前記第１のメニスカスレンズのそれぞれの前記凹側面が前記関連する光源モジュールに面してそこから光を受け取ることを特徴とする、照明システム。
【請求項１２】
前記第１のメニスカスレンズのそれぞれが前記第２のメニスカスレンズのそれぞれと接している、請求項１１に記載の照明システム。
【請求項１３】
前記複数対のメニスカスレンズが実質的に二層六方最密アレイとして構成されているとともに、前記複数の光源モジュールがその構成を実質的に追従するように配置されている、請求項１１に記載の照明システム。
【請求項１４】
前記複数対のメニスカスレンズが実質的に二層矩形最密アレイとして構成されているとともに、前記複数の光源モジュールがその構成を実質的に追従するように配置されている、請求項１１に記載の照明システム。
【請求項１５】
前記複数の光源モジュールが半径方向に非対称な開口内に配置されている、請求項１１に記載の照明システム。
【請求項１６】
所定の角度で照明されるように配置されるとともに回転軸を中心に回転可能な複数のミラーを有する画像形成デバイスをさらに備え、前記半径方向に非対称な開口が、長手寸法と短手寸法とを有するとともに、前記長手寸法が前記画像形成デバイスの前記ミラーの回転軸と位置合わせされるように配向されている、請求項１５に記載の照明システム。
【請求項１７】
前記光源モジュールのそれぞれが出射面と、前記出射面を覆って配置された実質的に光学的に透明なドームとを備える、請求項１１に記載の照明システム。
【請求項１８】
前記光源モジュールのそれぞれが出射面と、前記出射面を覆って配置された角錐集光器とを備える、請求項１１に記載の照明システム。
【請求項１９】
前記角錐集光器のそれぞれが略正方形の近位端と略矩形の遠位端とを有する、請求項１８に記載の照明システム。
【請求項２０】
所定の角度で照明されるように配置されるとともに回転軸を中心に回転可能な複数のミラーを有する画像形成デバイスをさらに備え、前記複数の光源モジュールが、長手寸法と短手寸法とを有する半径方向に非対称な開口を略近似する形状を有するアレイ状に配置され、前記半径方向に非対称な開口は前記長手寸法が前記画像形成デバイスの前記ミラーの回転軸と位置合わせされるように配向されている、請求項１９に記載の照明システム。
【請求項２１】
照明対象をさらに備え、前記光学素子系が前記角錐集光器のそれぞれの前記遠位端を前記照明対象上に結像するように構成されている、請求項１９に記載の照明システム。
【請求項２２】
前記光源モジュールが各々、互いに隣接するとともに前記第１のメニスカスレンズのそれぞれの前記凹側面が前記関連する光源モジュールの前記出射面に面してそこから光を受け取るように配置された複数の出射面を有する、請求項１１に記載の照明システム。
【請求項２３】
少なくとも１つの光源モジュールの少なくとも２つの出射面が異なる色を有する、請求項２２に記載の照明システム。
【請求項２４】
前記光源モジュールのそれぞれが第１、第２および第３の色の出射面を有する、請求項２２に記載の照明システム。
【請求項２５】
前記第１、第２および第３の色が原色である、請求項２４に記載の照明システム。
【請求項２６】
第１、第２および第３のカラーゾーンを備える照明対象を備え、前記光学素子系が前記第１、第２および第３の色の出射面を前記照明対象のそれぞれのカラーゾーン上に結像する、請求項２２に記載の照明システム。
【請求項２７】
前記光学素子系が前記照明対象と前記複数対のメニスカスレンズとの間に配置されたレンチキュラアレイをさらに備える、請求項２６記載の照明システム。
【発明の詳細な説明】
【技術分野】
【０００１】
本開示は例えば投影およびバックライティングシステムで用いられる集光照明システムに関する。より具体的には、本開示は１つまたは複数の光源からの光を集めてそのような光を照明対象に向ける照明システムに関する。
【背景技術】
【０００２】
照明システムは投影ディスプレイ、液晶ディスプレイ（ＬＣＤ）用のバックライト等を始めとする多様な用途がある。投影システムは通常光源と、照明光学系と、画像形成デバイスと、投影光学系と投影スクリーンとを含む。照明光学系は光源からの光を集めてそれを所定の方法で１つまたは複数の画像形成デバイスに向ける。画像形成デバイスは電子的に条件付け且つ処理されたデジタルビデオ信号により制御され、そのビデオ信号に対応する画像を生成する。そして投影光学系はその画像を拡大してそれを投影スクリーン上に投影する。カラーホイールと連動してアークランプなどの白色光源が、投影ディスプレイシステム用の光源として主に用いられてきているとともになお用いられている。しかし近年発光ダイオード（ＬＥＤ）が代替物として導入された。ＬＥＤ光源の利点にはより長い寿命、より高い効率、および良好な熱特性がある。
【０００３】
デジタル光処理システムで頻繁に用いられる画像形成デバイスの一例はデジタルマイクロミラーデバイス（ＤＭＤ）である。ＤＭＤの主たる特徴は回転可能なマイクロミラーのアレイである。各ミラーの傾斜は各ミラーに関連するメモリセルに読み込まれたデータにより個々に制御され、反射光を導くとともにビデオデータのピクセルを投影スクリーン上のピクセルに空間的にマッピングする。オン状態のミラーにより反射された光は投影光学系を透過してスクリーン上に投影されて明視野を生成する。一方オフ状態のミラーにより反射された光は投影光学系に当たらず暗視野になる。またカラー画像はＤＭＤを用いて、例えばカラーシーケンシングを利用してまたは代替的には各原色に対して１つずつ、３つのＤＭＤを用いて生成され得る。
【０００４】
画像形成デバイスの他の例には反射型液晶（ＬＣＯＳ）などの液晶パネルがある。液晶パネルにおいて液晶材料の位置合わせはビデオ信号に対応するデータによって増大制御（ピクセル毎に）される。液晶材料の位置合わせに応じて入射光の偏光を液晶構造によって変更することができる。従って偏光板または偏光ビームスプリッタの適切な使用により、入力ビデオデータに対応する明暗視野を生成し得る。ＤＭＤと同様の方法で液晶パネルを用いてカラー画像を形成してきた。
【０００５】
ＬＣＤバックライトは従来冷陰極蛍光ランプ（ＣＣＦＬ）などの１つまたは複数の光源を含んでいた。典型的な直接照明バックライトは通常ＬＣＤの背後に配置された光源のアレイまたは単一の拡張光源を含む。バックライトにより生成された光は通常拡散されて均一性を増すとともに、カラー画像が望ましい場合にはＬＣＤの赤色、緑色および青色ピクセルに対応する赤色、緑色および青色フィルタのアレイに向けられる。赤色、緑色および青色ピクセルは伝達された赤色、緑色および青色成分を入力画像データに従って変調する。
【０００６】
投影およびバックライティングシステムなどの光学系の性能は、多数のパラメータにより特徴付けられ、そのうちの１つはエタンデュ（ｅｔｅｎｄｕｅ）である。エタンデュεは以下の式を用いて算出し得る。
【数１】
2007524975.tif 000003
ここでΩは出射または受光の立体角（ステラジアン単位）、Ａは受光または照射面積、θは出射または受光角度、およびＮＡは開口数である。光学系のある要素のエタンデュが上流光学素子のエタンデュより小さい場合には、そのミスマッチが光損失につながり光学系の効率を低下させ得る。従って光学系の性能は通常最も小さいエタンデュを有する素子によって限定される。光学系内でエタンデュ悪化を低減するために通例採用される技術には、光学系の有効性（ｌｍ／ｗ）を増加させること、光源サイズを減少させること、光線立体角を減少させること、および追加開口絞りの導入の回避をすることがある。
【０００７】
照明システムで用いられる従来の光学系は様々な構成を含んでいたが、それらの軸外性能は狭く調整した範囲でのみ満足するものであった。このおよび他の短所は例えば複雑な非球面および多数の素子の複雑な組み合わせの利用を含む、光学素子および光学系の複雑な設計を生んだ。加えて従来の照明システムの光学系は不十分な集光特性を示していた。具体的には光源の出力の大部分が光学軸から遠く離れた角度で出射する場合には、それは殆どのＬＥＤの場合であるが、従来の照明システムはこのような光の大部分を捕捉することができない。
【０００８】
さらに従来の照明システムは通常例えば収差のために結像特性が比較的劣る。具体的にはこれはいくつかの異なる波長の光源を組み合わせる投影およびバックライティング用途で用いられる殆どの従来の反射体および／または集光器の場合である。加えていくつかの従来の反射型コリメータ、例えば楕円および放物面反射体は許容可能な集光特性を有するが、このような反射体は通常回転対称バイアスによって特徴付けられる。このようなバイアスは一般に結果像の丸めおよび光源上の点と対象面上の点との間の全体対応関係不足につながるため秩序の損失およびエタンデュの悪化を生じる。
【発明の開示】
【課題を解決するための手段】
【０００９】
本開示は光源モジュールと、第１のメニスカスレンズと、第２のメニスカスレンズとを含む照明システムを対象とする。第２のメニスカスレンズの凹側面が第１のメニスカスレンズの凸側面に隣接するとともに、第１のメニスカスレンズの凹側面が光源モジュールに面してそこから光を受け取る。第１のメニスカスレンズは第２のメニスカスレンズと接していてもよく、第１および第２のメニスカスレンズが光学的に透明な材料によって共に保持されていてもよい。
【００１０】
本開示のいくつかの例示的実施形態で用いるのに適した光源モジュールは出射面と、出射面を覆って配置された実質的に光学的に透明なドームとを含む。本開示の他の例示的実施形態に用いるのに適した光源モジュールは出射面と、出射面を覆って配置された角錐集光器とを含む。角錐集光器は略正方形の近位端と略矩形の遠位端とを有し得るが、角錐集光器の他の構成も本開示の範囲内にある。
【００１１】
代替的には本開示のいくつかの例示的実施形態で用いるのに適した光源モジュールは、互いに隣接配置された複数の出射面を含むとともに、第１のメニスカスレンズの凹側面が光源モジュールの出射面に面する。出射面の少なくとも２つが異なる色を有する。例えば例示的光源モジュールが第１、第２および第３の色の出射面を有してもよく、それらの色を原色とすることができる。
【００１２】
また本開示は複数の光源モジュールと、複数のメニスカスレンズなど、各対が光源モジュールに関連する、光学素子系とを含む照明システムを対象とする。第２のメニスカスレンズのそれぞれの凹側面が各第１のメニスカスレンズの凸側面に隣接するとともに、第１のメニスカスレンズのそれぞれの凹側面が関連する光源モジュールに面する。複数対のメニスカスレンズが実質的に二層六方最密アレイまたは矩形最密アレイとして構成されていてもよく、複数の光源モジュールがレンズの構成を実質的に追従するように配置されている。
【００１３】
複数の光源モジュールが半径方向に非対称な開口内に配置されていてもよい。例えば所定角度で照明されるように配置されるとともに回転軸を中心に回転可能な複数のミラーを有する画像形成デバイスを含む照明システムは、長手寸法と短手寸法とを有するとともに、長手寸法が画像形成デバイスのミラーの回転軸と位置合わせされるように配向されている半径方向に非対称な開口を含んでいてもよい。そのような実施形態の各光源モジュールは、出射面と、出射面を覆って配置された実質的に光学的に透明なドームまたは角錐集光器とを含んでいてもよい。
【００１４】
角錐集光器を含む本開示により構成された例示的照明システムにおいて、各角錐集光器が略正方形の近位端と略矩形の遠位端とを有してもよい。しかし各角錐集光器の他の構成も本開示内にある。本開示に従って構成された照明システムは、照明対象をさらに備え、光学素子系が各角錐集光器の遠位端を照明対象上に結像するように構成されていてもよい。
【００１５】
本開示のいくつかの例示的実施形態において、光源モジュールが各々、互いに隣接するとともに各第１のメニスカスレンズの凹側面が関連する光源モジュールの出射面に面するように配置された複数の出射面を有する。少なくとも２つの出射面が異なる色を有していてもよい。例えば例示的光源モジュールが第１、第２および第３の色の出射面を有していてもよく、それらの色を原色とすることができる。このような光源モジュールを用いた例示的照明システムは、第１、第２および第３のカラーゾーンを有する照明対象を含み、光学素子系が第１、第２および第３の色の出射面を照明対象のそれぞれのカラーゾーン上に結像してもよい。光学素子系が照明対象と複数対のメニスカスレンズとの間に配置されたレンチキュラアレイをさらに含んでもよい。
【発明を実施するための最良の形態】
【００１６】
主題発明の照明システムのこれらおよび他の態様は、当業者には図面とともに以下の詳細な説明から容易に明らかになろう。
【００１７】
主題発明が関連する当業者が主題発明の作製および使用方法をより容易に理解するために、その例示的実施形態を図面を参照して以下に詳細に説明する。
【００１８】
ここで図を参照すると、同様な参照番号が同様な要素を示しており、図１は投影用途に用い得る本開示の照明システムの例示的実施形態を概略的に示す。図１に示す照明システム１０は、光源モジュール７２、７２’、７２”により図示される光源モジュールセット１２と、光学素子系１５とを含む。１つまたは複数の光源モジュールは現在市販されているＬＥＤ光源などのＬＥＤ光源を含んでもよい。当業者には効率および出力が向上したＬＥＤが開発且つ完成すると、高い最大出力を有するＬＥＤは通常好ましいため、そのようなＬＥＤは本開示の例示的実施形態において有利に用いられるがことが理解できよう。代替的には有機発光ダイオード（ＯＬＥＤ）、面発光レーザ（ＶＣＳＥＬ）または他の適切な発光デバイスを用いてもよい。
【００１９】
光源モジュールセット１２はアレイとして構成し得るとともに、７２、７２’、７２”などの光源モジュールを１つまたは複数の基板上に一緒にまたは個別に載置し得るため、光源モジュールにより生成された熱を基板の材料により容易に放熱し得る。光源モジュールを載置するのに適した基板の例には、メタルコアプリント基板などのプリント基板、銅トレースを有するポリイミドフィルムなどのフレキシブル回路、セラミック基板等がある。当業者には光源モジュールセット１２および７２、７２’、７２”などの個別光源モジュールの多くの構成が本開示の範囲内にあるということが理解できよう。加えて光源モジュールの数およびタイプは用途、所望のシステム構成、システムの寸法およびシステムの出力輝度に応じて変更することができる。
【００２０】
図１に図示した例示的実施形態において、光学素子系１５はレンズレット７４、７４’、７４”などの第１のレンズセット１４と、レンズレット７６、７６’、７６”などの第２のレンズセット１６と、集光器１８とを含む。光源モジュールの数と同様に、セット１４および１６内のレンズレットの数は用途、所望のシステム構成およびシステムの所望の寸法に応じて変更することができる。集光器１８は平凸レンズであるかまたは平凸レンズを含んでもよい。代替的には、集光器は収差を低減するためにメニスカスレンズであるか、または出力光の所望の特性に応じて任意の他のタイプのレンズであるかまたはそれらを含んでもよい。光学素子系１５は、特定の用途で有用となるように集光器１８に加えてまたは代わりに他の構成要素を含んでもよい。例えば異なる色の光線を分離または合成するダイクロイックミラーを含んでもよい。
【００２１】
本開示の適切な実施形態において各光源モジュールは、集光を容易にするとともに所望の結像特性を達成するために関連する光学素子を有する。例えば図１に図示した例示的実施形態において一対のレンズレット（セット１４からの１つとセット１６からの１つ）はセット１２からの各光源モジュールに関連している。具体的には図１は光源モジュール７２に関連するレンズレット７４および７６、光源モジュール７２’に関連するレンズレット７４’および７６’、ならびに光源モジュール７２”に関連するレンズレット７４”および７６”を示す。レンズレットのセット１４および１６を、光源モジュールセット１２の構成を実質的に追従する構成を有する二層最密アレイとして構成してもよい。
【００２２】
光源モジュールセットの例示的構成は図２Ａに図示されており、図２Ａは照明システムの理論的円形入射瞳２と、光源モジュールセット１２’を適切に位置決めすることにより形成される入射瞳を表わす半径方向に非対称な開口４とを示している。この構成および同様の構成は、所定角度で照明され且つライトトンネル（以下に説明）が光源と画像形成デバイスとの間に介在しない１つまたは複数のＤＭＤを用いる投影システムにおいて特に好ましい。一般にはこのようなシステムにおいて、照明角度と、ミラーフレームから、オフ状態のミラーの下から、およびフラットまたは過渡状態のミラーからの反射による投影瞳内への光散乱量との間に強い依存性がある。照明角度の増大がコントラストを増加させるが、投影光学系の開口数がそれに応じて増加しない場合には投影瞳に対する照明瞳のオフセットも引き起こし口径食を生じる。しかし投影光学系の開口を大きくして口径食を防止する場合には、より多くのフラットまたは過渡（オンでもオフでもない）反射およびＤＭＤ周辺からの迷光を収集してそれをスクリーンに伝播する可能性があるため、コントラストを改善する初期目的が失敗するおそれがある。
【００２３】
アークランプを用いる従来の照明システムにおいて、この問題には照明瞳内に遮断用開口絞りを配置してオン状態反射と重なるフラット状態反射の少なくとも一部を遮断することにより対処していた。しかし最近ＤＭＤ投影系のコントラストは非対称開口絞りで増強できるということが分かってきた。米国特許第５，４４２，４１４号明細書は、本開示と矛盾しない限りその開示を本明細書に引用して援用するが、長手および短手寸法を有し、長手寸法がミラーの回転軸と位置合わせされているコントラスト増強非対称開口を記載している。
【００２４】
従って本開示の適切な例示的実施形態において、個々の光源モジュールが半径方向に非対称な開口４として図示されるような最高のコントラストを有する瞳の区域内に実質的に配置されて照明エネルギーを節約するとともに用いられる光源モジュールの数を減少させるように、光源モジュールセット１２’の構成を選択することができる。光源モジュールに関連する光学素子セット１３の構成をそれに従って選択できるとともに、光源モジュールセット１２’の構成を好適に追従するため、後者も図２Ａに図示するような半径方向に非対称な開口に実質的に近似する全体形状を有することになる。光源モジュールセットおよび光学素子セット、例えば図１に示すレンズセット１４および１６の他の構成、特定の用途および照明対象の形状およびサイズならびにコストなどの他の事由に応じて、略矩形または正方形状を有するアレイなども本開示の範囲内にある。
【００２５】
図２Ｂはレンズセット１４および１６の例示的構成５８の正面図を表わす。構成５８において、７４、７４’、７４”などのレンズセット１４のレンズレットは、例えば約１８ｍｍの実質的に円形外径を有する実質的に同一形状およびサイズとすることができる。７６、７６’、７６”などのレンズセット１６のレンズレットも実質的に同一形状およびサイズ、例えば短手対角線が約２０ｍｍおよび長手対角線が約２３ｍｍの実質的に六角形状を有することができる。セット１４のレンズレットの外側寸法は光源モジュールセット１２から光の所望量を収集するのに十分大きくなければならず、さらにセット１６のレンズレットの外側寸法はセット１４を出射する光の所望量を捕捉するのに十分大きくなければならない。いくつかの例示的実施形態ではセット１４および１６の個々のレンズレットは、格子間面積を最小限に抑えるために第２のアレイを好適に加工しなければならないため、エッジ細部以外は同一の全体形状および構成を有してもよい。
【００２６】
レンズレット７４、７４’、７４”および７６、７６’、７６”などのセット１４および１６のレンズレットは実質的に図３に示したレンズレット７４および７６として構成されたメニスカスレンズであることが好ましい。図３は光源モジュール７２も示し、本例示的実施形態では光源モジュール７２は基部７２２と出射面７２４と、実質的に光学的に透明なドーム７２６とを含む。市販のＬＥＤ光源モジュールを本開示の適切な実施において用い得ることで、このような照明システムを比較的安価、小型および使い勝手を良くする。出射面７２４はＬＥＤの出射面、蛍光体層、または任意の他の電子放出物質でありまたはそれらを含んでもよい。当業者には用語「出射面」を用いて光源モジュールの任意の発光面、例えば発光半導体層または実質的に光学的に透明な材料内に封入されているチップの任意の表面部分に言及し得ることが理解できよう。
【００２７】
一例としてレンズレット７４および７６の寸法は、約８．８ｍｍの中心厚さと、約−５５ｍｍの凹面の半径と、約−１０ｍｍの半径と約−０．５５の円錐係数とを有する非球面凸面（一般的非球面式により規定される）とを含む。凸面は収差を低減するとともに結果的光損失を防止するために非球面に作製される。状況に応じて凹面も非球面に作製してもよい。しかしこのようなレンズの性能は凸面の形状により強く影響を受ける。それでも当業者にはレンズレットの全体形状およびサイズが特定の用途、システムの構成およびシステムのサイズに応じて変更可能であるということが容易に理解できよう。レンズの材料はアクリル系であることが好ましいが、ポリカーボネート、ポリスチレン、ガラスまたは任意の他の適当な材料を用いてもよい。一般には高屈折率を有する材料が好ましいが最終的には、コスト、成形性、光学接着剤またはエポキシとの屈折率一致容易性などの特定の用途に対して重要な要因に応じて選択される。
【００２８】
本開示の適切な実施において凹側面７４ａと凸側面７４ｂとを有するレンズレット７４は光源モジュール７２の前に配置されているため、凹側面７４ａは一般に出射面７２４に面している。凹側面７６ａと凸側面７６ｂとを有するレンズレット７６は、凹側面７６ａが凸側面７４ｂに隣接するように配置されている。レンズレット７６の凹側面７６ａは集光効率を最大にするためにレンズレット７４の凸側面７４ｂに直接接していることが好ましいが、いくつかの実施形態においてレンズレットを約４ｍｍまでの距離分離してなお容認可能な集光特性を有し得る。より大きな間隔も本開示の範囲内にあるが、そのような構成はレンズレット７６の外形寸法が増大せずに間隔が増大する場合には集光効率が低下しやすい。当業者にはレンズレット７４および７６を互いに近接配置するとともにレンズレット７６の直径を増加することが通常より広い範囲の角度内の集光またはその逆を可能にすることは理解できよう。レンズレットはレンズレットの材料と実質的に係数が一致する適当な光学接着剤またはエポキシにより接合することができる。
【００２９】
さらに図１および図３を参照すると、本開示のいくつかの実施形態において光学素子系１５は光源モジュールの出射面の１つまたは複数、例えば光源モジュール７２の出射面７２４を照明対象１７上に結像する。照明対象１７の性質は特定の用途に応じて変更される。例えば図１において照明対象１７は単に図示の目的で、ライトトンネル１９への入口として示されている。
【００３０】
本開示の適切な例示的実施形態とともに用いるのに適したライトトンネルは例えば米国特許第５，６２５，７３８号明細書および同第６，３３２，６８８号明細書に記載されており、本開示と矛盾しない限りその開示を本明細書に引用して援用する。ライトトンネルは７２、７２’、７２”などの発光モジュールの出力を均質化する役目をするため、出射面の厳密な結像はライトトンネルを用いる例示的実施形態において必要なくなる。ライトトンネル１９はミラートンネル、例えば中実または中空の矩形トンネル、もしくは内部全反射に頼ってその内部で光を伝達する固体ガラス棒で構成された細長いトンネルとすることができる。当業者にはライトトンネルの入射端及び出射端に対して多数の形状組み合わせが可能であるということは理解できよう。
【００３１】
他の例示的実施形態において照明対象１７は結像デバイス、例えばＤＭＤ、液晶パネルもしくは液晶ディスプレイの１つまたは複数のピクセルまたはカラーゾーンとすることができる。このような実施形態においてより厳密な結像が望ましい場合がある。加えてこのような実施形態は、１つまたは複数のＤＭＤを用いた投影システムで用いられる場合には、光源モジュールを図２Ａに図示したコントラスト増強非対称開口の形状に実質的に近似して配列することが有効である。
【００３２】
光源モジュール７２、７２’、７２”などの光源モジュールの出射面に特定の形状を与えて、照明システム１０の性能を改善することができる。例えば出射面の１つまたは複数を対象１７の形状に実質的に一致するような形状に形成することができる。具体的には対象１７がライトトンネル１９への正方形入射口である場合には、光源モジュールの出射面の１つまたは複数も略正方形状に形成することができる。一方対象１７が約１６：９のアスペクト比（通常ハイビジョンテレビの場合）を有する矩形画像形成デバイスである場合には、光源モジュールの出射面の１つまたは複数も略矩形として、好適にはほぼ同一のアスペクト比を有するように形成することができる。代替的には略正方形出射面の像を密集して略矩形の照明対象を実質的に満たしてもよい。当業者には出射面および照明対象の他の一般的な形状が本開示の範囲内にあるということは容易に理解できよう。
【００３３】
さらに図１を参照すると、光学素子系１５を出射面の像を適正に拡大するように設計且つ構成してもよい。典型的な投影ディスプレイの性能は、照明パッチによる照明対象のある量のオーバーフィルが有効となるか、または場合によっては必要とし、これらの例示的実施形態ではこれは発光モジュールの１つまたは複数の出射面の重畳像により形成される。例えば約２０．０×１２．０ｍｍの結像デバイスの場合、照明パッチは各軸で約１０％大きく、すなわち約２２．０×１３．２ｍｍとすることができる。いくつかの例示的実施形態ではオーバーフィル量を全辺でほぼ同一にして例えば機械的位置ずれに対応することが望ましい。このような場合光源モジュールの出射面の１つまたは複数を照明対象とはアスペクト比が若干異なるように作製して、所望の形状の像を作製するようにしてもよい。代替的には光学素子系はシリンドリカルレンズまたは、出射面の像を所望の全体形状またはアスペクト比に変換することもできる他の非円形対称光学系を含んでもよい。また必要に応じて赤色、緑色および青色または他の原色などの異なる色の出射面の像を、図示のおよび以下に説明するようなダイクロイック合成ミラーで合成または重畳し得る。
【００３４】
図４Ａは本開示の適切な実施形態で用いるのに適した光源モジュールの他の例示的構成を示す。図４Ａに示す光源モジュール８２は基部８２２と、１つまたは複数の出射面、例えば出射面８２４と、出射面８２４を覆って載置された短角錐集光器８２７とを含む。短角錐集光器８２７は実質的に光学的に透明な物品、例えばアクリル、ポリカーボネート、ガラスまたは他の適当な材料であることが好ましく、その側面は１つまたは複数の出射面から十分に大きい角度で放射する光に対して単純な反射体として動作して角錐集光器内でこのような光の内部全反射を生じる。
【００３５】
出射面８２４がＬＥＤの出射面（いくつかの出射面すなわちいくつかのＬＥＤダイを有し得る）である場合には、角錐集光器８２７を出射面を覆って配置するとともに適当な実質的に光学的に透明な接合材料によって基部８２２に取り付け、またはその上に直接成形することが好ましいため、角錐集光器８２７は出射面８２４全体または光源モジュール８２の多数の出射面に接するとともにそれらを覆っている。接合材料は角錐集光器の材料の屈折率に応じて選ばなければならない。接合材料の屈折率が角錐集光器の材料の屈折率より大きい場合には、発光の大部分はそれらの界面で反射により失われる場合がある。このため結合材料の屈折率は、より効率的な集光を容易にするために角錐集光器の屈折率とほぼ一致するかまたは若干低くすることが好ましい。ＬＥＤの出射面と角錐集光器との間のエアギャップの最小化または排除も集光効率を向上させる。
【００３６】
図４Ｂは角錐集光器８２７の正面を介して見て出射面８２４により代表される光源モジュールの出射面を示し、角錐集光器８２７はこの例示的実施形態では出射面８２４に面する略正方形の近位端８２５と、出射面８２４から離れる方向に面する略矩形の遠位端８２９とを有する。ＩｎＧａＮ  ＬＥＤの活性表面などの約１ｍｍの辺を有する略正方形の外形を有するエミッタの場合、角錐集光器８２７の例示的な好適寸法は約１ｍｍの辺を有する略正方形の近位端８２５と、約４．３ｍｍ×２．４ｍｍの略矩形遠位端８２９と、約４〜５ｍｍの角錐集光器の高さ（近位端と遠位端との間の距離）とを有する。
【００３７】
本開示のいくつかの実施形態において近位端８２５の外径寸法および形状はエミッタの寸法および形状に一致して出射面の周囲にフィットされる一方、遠位端８２９は例えば約１６：９のアスペクト比（ＨＤＴＶ用途に特に有用である）を有するより大きい矩形でなければならない。代替的には遠位端８２９が略正方形形状を有し得るとともに、適切な例示的実施形態においてその構成を実質的に追従する関連する光学系とともに、このような光源モジュールを積層して略矩形状の照明器を形成することができる。当業者には出射面の寸法および形状、レンズレット８４および８６などの集光光学系の寸法および形状、ならびに他の関連するシステムパラメータに応じて、角錐集光器の他の適当な寸法および構成が本開示の範囲内にあるということは容易に理解できよう。
【００３８】
角錐集光器８２７などの角錐集光器の利用は、出射面８２４が十分に均一に見えないＬＥＤの出射面である場合、または例えば矩形照明対象もしくは矩形カラーゾーンまたはピクセルに一致するように正方形出射面を整形する必要がある場合に特に好ましい。加えて角錐集光器８２７は出射面８２４から放射する光の少なくとも一部を再配向することもできるため、光は光学軸に対してより小さい角度で角錐集光器８２７を出射し、レンズ８４および８６などの下流の光学素子により集光することがより容易になる。本開示のいくつかの例示的実施形態においてＬＥＤ出射面の上に配置された角錐集光器により、ＬＥＤにより発光される全光量の約７０％もの光をエタンデュ値の約８８％に集光することができる。しかし本開示の様々な例示的実施形態において、個々の構成要素のサイズおよびタイプ、システムの全体構成ならびにコストの点に応じて集光効率とエタンデュとの間の他の関係が望ましいと考えられることもある。さらにまた角錐集光器８２７の遠視野出力は最密（必要に応じて幾分重複した）パターンを形成し、他は投影およびバックライティング用途に特に有用な合成照野を形成する。
【００３９】
さらに図１および４Ａを参照すると本開示のいくつかの例示的実施形態において、光学素子系１５は光源モジュールの出射面の１つまたは複数、例えば光源モジュール８２の出射面８２４を照明対象１７上に結像する。この場合が図４Ａに角錐集光器８２７を通して追跡される光線１により図示されている。図４Ｂに図示するように出射面８２４から放射する光の少なくとも一部分は角錐集光器８２７の側面により反射される。このような反射光は出射面８２４の像の数を増やし、図４Ｂに概略的に示した像８２４ａ、８２４ｂ、８２４ｃおよび８２４ｄなどのＬＥＤ像のアレイになる。角錐集光器８２７の近位端８２５が出射面８２４の実質的に周囲にフィットされている場合には、像のアレイは遠位端８２９を介して見て最密である。
【００４０】
このためいくつかの例示的実施形態では集光角錐８２７の遠位端８２９を照明対象１７上に結像することが好ましい。この場合が図４Ａに角錐の側面から反射されるように角錐集光器８２７を通して追跡される光線２によって示されている。出射面自体ではなく遠位端８２９を結像することにより出射面は、正方形または通例市販のＬＥＤの場合ストライプの集合など、その元の形状を維持することができるとともに、角錐集光器が光の矩形パターンを効果的に生成し、その光はその後さらなる光学系により均質化および整形する必要なく矩形照明対象上に結像されることになる。加えてこの構成は照明角度が角錐集光器の近位端から遠位端への面積の増加に比例して低下するため、エタンデュを保持するのに役立つ。
【００４１】
本開示の照明システムの他の例示的実施形態が図５に図示されている。このような例示的実施形態をＬＣＤの直接バックライティングに用いることができる。具体的には図５に示す照明システム３０を用いてＬＣＤ８５を照明し得る。照明システム３０は、ＬＥＤ光源モジュールとすることが可能な光源モジュール７２、７２’、７２”などの光源モジュールセット３２と、光学素子系３５とを含む。このような例示的実施形態において所望のサイズ、輝度および品質の合成像を得るために、７２、７２’、７２”などの十分な量の光源モジュールを用いて、ＬＣＤ８５の表面の十分な部分を覆う照明パッチを生成しなければならない。このような例示的実施形態において光学素子系３５は、レンズレット７４、７４’、７４”を含む第１のレンズセット３４と、レンズレット７６、７６’、７６”を含む第２のレンズセット３６とを含むとともに、フレスネルレンズ、屈折率分布レンズ等などのコリメート光学系をさらに含んでもよい。当業者には光学素子系３５は特定の用途の要望に応じて他の追加構成要素を含み得るということは理解できよう。
【００４２】
さらに図５を参照すると適切な実施形態において一対のレンズレット、セット３４からの１つとセット３６からの１つ、例えばレンズレット７４と７６とは各光源モジュール、例えば７２に関連し得る。各レンズセット３４および３６を図２Ｂに示したアレイと同様に二層最密アレイとして構成することができる。このアレイにおいて構成５８の数および全体構造は所望の数の光源モジュール７２、７２’、７２”等および通常略矩形または正方形であるＬＣＤディスプレイ８５などの被照明表面の形状と適合するように変更されている。セット３４および３６のレンズレットの全体形状およびそれぞれの位置決め、ならびに光源モジュールの全体形状および位置決めは実質的に図１〜４Ｂに図示した実施形態に関して説明したものと実質的に同一であってもよく、または他の適当な構成としてもよい。
【００４３】
光学素子系３５を、セット３２の光源モジュールの出射面の１つまたは複数をこれらの例示的実施形態において照明対象（図１を参照、要素１７）を構成するＬＣＤ８５の８５０、８５０’、８５０”などの１つまたは複数のピクセル上に結像するように構成することができる。いくつかの例示的実施形態において、実質的に連続照明パッチを生成するように隣接の像の少なくともある程度重複して出射面をＬＣＤ８５上に結像することが好ましい。従ってこのような実施形態では出射面の像は重複または少なくとも部分的に重複して多数のエミッタから実質的に均一のパターンを構成するが、個々の要素は非均一形状を有する場合がある。さらに直接視認バックライティングに適した例示的実施形態において、像はちょうど照明される区域を実質的に満たすように少しだけ重複するようにしてもよい。ここで大多数の投影用途の場合のように像の実質的重畳は必要ない。代替的には個々の出射面を個別ピクセルまたはある数のピクセル上に結像してもよい。
【００４４】
代替的には光学素子系３５は光源モジュールセット３２からの光を集光且つ処理するため、光が実質的に平行状態でＬＣＤ８５に入る。本開示のこのような実施形態においてＬＣＤ８５が軸外に見える場合、拡散器、散乱媒体または他の増強構成要素８７を追加してＬＣＤ８５の下方または上方で軸外視認性を増強することができる。当業者には他のディスプレイ構成要素を特定の用途の要求に応じて追加し得るということは容易に理解できよう。さらに照明システム３０において、光源モジュールの輝度とそれらのサイズとチャネル数（ここでは関連する光学系を有する個々に調整された光源の数）との間でトレードオフとなり得る。
【００４５】
本開示の図示のシステムの他の例示的実施形態が図６に図示されている。このような照明システム４０を投影システム１５０で用いることができる。投影スクリーン１５４を照明するために用いられる照明システム４０は、光源モジュール７２、７２’、７２”（図１〜５と同様）などの光源モジュールセット４２と、光学素子系４５とを含む。図６に図示した例示的実施形態において光学素子系４５は、図１〜５に示すとともに関して説明したものと同様なレンズレットを有する第１のレンズセット４４と、図１〜５に示すとともに関連して説明したものと同様なレンズレットを有する第２のレンズセット４６とを含む。照明システム４０にはＬＣＤ透過型デバイスなどの結像デバイス１４１、およびフレスネルレンズなどの視野レンズ１４３が続く。普通の表面鏡とすることができる折返しミラー１４５、１４９および１５２を用いて投影システム１５０の光路を折り返し、そのためそのコンパクト性を増加することができる。投影システムはさらに結像デバイス１４１により生成された像をスクリーン１５４上に投影するための投影光学系１４７を含んでもよい。
【００４６】
さらに図６を参照すると一対のレンズレット、セット４４からの１つとセット４６からの１つ、例えば図３に示したレンズレット７４および７６は各光源モジュール、例えば図３に示した７２に関連し得る。レンズセット４４および４６を図２Ｂに示したアレイと同様に二層最密アレイとして構成することができる。このアレイにおいて構成５８の数および全体構造は、スクリーン１５４上に形成される合成像の所望の輝度、解像度およびサイズを達成するように変更することができる。好適にはセット４４および４６のレンズレットの全体形状およびサイズならびにセット４２の光源モジュールの全体形状およびサイズは図１〜５に図示した実施形態に関して説明したものと実質的に同じである。図６に図示した例示的実施形態はキャビネットのサイズを低減するとともに使用する構成要素を減らすことを可能にするため、大型のＬＣＤパネル投影用途に特に有用である。
【００４７】
本開示の他の態様により、図７は多色の出射面を有する光源モジュールを図示する。例えば図７において光源モジュール１７２は互いに隣接配置された３つの出射面１９４Ｒ、１９４Ｇおよび１９４Ｂ（それぞれ赤色、緑色および青色または他の適当な原色）を含む。このような発光モジュールは３チップＬＥＤモジュールとすることができ、出射面の任意の１つまたは複数はＬＥＤ出射面、蛍光体層、または任意の他の電子放出物質とするか、またはそれらを含むことができる。コリメータ光学系１７４および１７６は図１〜６に図示した実施形態に関して示し且つ説明したものと同様のレンズレットまたは任意の他の適当な光学素子を含むことができる。好適には各レンズレットは３つの出射面１９４Ｒ、１９４Ｇおよび１９４Ｂのすべてから光を受け取る。従って多数の光源は同じ光学系を共有するため照明システムのコストおよびサイズを低減することができる。これを達成するために出射面１９４Ｒ、１９４Ｇおよび１９４Ｂは十分に近接して配置しなければならない。加えて効率的な集光を確実にするために出射面をレンズレットに十分に近接して配置しなければならない。
【００４８】
光源モジュール１７２およびコリメート光学系１７４、１７６は、照明が特定の色に対して「索引を付けられる」方法で、出射面１９４Ｒ、１９４Ｇおよび１９４Ｂに対してコリメーションを達成するように構成されている。これは出射面１９４Ｒ、１９４Ｇおよび１９４Ｂをコリメート光学系の焦点面付近に配置することにより達成可能であり、異なる色のエミッタの空間分離が異なる色を有する光線の角度の分離に変換される。例えば図７に示した配置の場合、緑色光は光学軸に対して約０度でコリメート光学系を出射する一方で、赤色光は光学軸に対して約＋２度でコリメート光学系を出射するとともに、青色光は光学軸に対して約−２度でコリメート光学系を出射する。
【００４９】
図８は本開示の照明システムの他の例示的実施形態を概略的に示す。図８に示した照明システム１００は、各々が複数の出射面１９４Ｒ、１９４Ｇ、１９４Ｂ、１９４Ｒ’、１９４Ｇ’、１９４Ｂ’および１９４Ｒ”、１９４Ｇ”、１９４Ｂ”をそれぞれ有する光源モジュール１７２、１７２’および１７２”などの光源モジュールセット１１２と、光学素子系１１５とを含む。図８に図示した例示的実施形態において光学素子系１１５は、レンズレット１７４、１７４’、１７４”を含む第１のレンズセット１１４と、レンズレット１７６、１７６’、１７６”を含む第２のレンズセット１１６と、ダイクロイックミラー１２０Ｒ、１２０Ｂおよび１２０Ｇと、集光器１１８とを含む。集光器１１８は、好適には非球面凸面を有する平凸レンズ、メニスカスレンズまたは屈折率分布レンズであるかまたはそれらを含んでもよい。光学素子系１１５は特定の用途で所望され得るように図示の要素に加えてまたは代わりに他の構成要素を含んでもよい。
【００５０】
本開示の適切な実施形態においてレンズレット１７４、１７４’、１７４”を含むレンズセット１１４およびレンズレット１７６、１７６’、１７６”を含むレンズセット１１６は、本開示の他の例示的実施形態に関して説明した各組のレンズと同様の構成を有するか、または特定の用途に適切な他の適当な構成を有してもよい。例えば一対のレンズレット、セット１１４からの１つおよびセット１１６からの１つは各光源モジュールと関連し得る。例えば図８においてレンズレット１７４および１７６は光源モジュール１７２と関連し、レンズレット１７４’および１７６’は光源モジュール１７２’と関連し、レンズレット１７４”および１７６”は光源モジュール１７２”と関連している。図７に関連して説明したように、出射面１９４Ｒ、１９４Ｇ、１９４Ｂ、１９４Ｒ’、１９４Ｇ’、１９４Ｂ’および１９４Ｒ”、１９４Ｇ”、１９４Ｂ”のいずれかまたはすべては赤色、緑色および青色（ＲＧＢ）ＬＥＤモジュールの出射面、蛍光体層、任意の他の電子放出物質またはそれらの任意の数のまたは組み合わせとすることができる。
【００５１】
さらに図８を参照すると、光学素子系１１５は光源モジュール例えば１７２、１７２’、１７２”の出射面の１つまたは複数を照明対象１１７上に結像するように構成してもよい。他の例示的実施形態に関して説明したように照明対象１１７の性質は特定の用途に応じて変わる。例えば照明対象１１７はライトトンネル、結像デバイス、ＬＣＤもしくはＬＣＤの特定のカラーゾーンまたはピクセルへの入射口とすることができる。重畳するまたは少なくとも部分的に重複するカラー照明パッチが望ましい場合、ダイクロイックミラー１２０Ｒ、１２０Ｂおよび１２０Ｇを用いて異なる色の出射面の像を照明対象１１７上に合成することができる。
【００５２】
本明細書に説明した他の例示的実施形態と同様に、光源モジュール１７２、１７２’、１７２”等の出射面１９４Ｒ、１９４Ｇ、１９４Ｂ、１９４Ｒ’、１９４Ｇ’、１９４Ｂ’および１９４Ｒ”、１９４Ｇ”、１９４Ｂ”等の１つまたは複数に特定の形状を付与して照明システム１００の性能を向上することができる。例えば出射面の１つまたは複数を照明対象１１７の全体形状に実質的に一致するような形状に形成することができる。具体的には対象１１７が光トンネルの正方形入射口である場合には、１７２、１７２’、１７２”などの光源モジュールの出射面の１つまたは複数も略正方形として形成することができる。一方対象１１７が矩形画像形成デバイスもしくはＬＣＤの矩形カラーゾーンまたはピクセルである場合には、光源モジュールの出射面の１つまたは複数も略矩形として形成してもよい。当業者には出射面および照明対象の他の形状が本開示の範囲内にあるということは容易に理解できよう。
【００５３】
本開示の照明システムの他の例示的実施形態が図９に図示されている。このような例示的実施形態をバックライティングＬＣＤに用いることができる。照明システム２００は、３チップＬＥＤモジュールとすることができる光源モジュール２７２および２７２’に代表される１つまたは複数の光源モジュールと、２１１および２１１’に代表されるコリメートレンズセットなどの光学素子系とを含み、コリメートレンズの各々は光源モジュールの少なくとも１つに関連する。照明システム２００を用いて結像デバイス１８５を照明することができる。このような例示的実施形態において、２９４Ｒ、２９４Ｇ、２９４Ｂおよび２９４’Ｒ、２９４’Ｇ、２９４’Ｂに代表される異なる色の出射面を有する２７２および２７２’に代表される十分な量の光源モジュールを用いて、ＬＣＤディスプレイとすることができる結像デバイス１８５の表面の十分な部分を覆うことにより所望のサイズおよび品質の合成像を得る。結像デバイスはピクセル３８５Ｒ、３８５Ｇ、３８５Ｂ、３８５’Ｒ、３８５’Ｇ、３８５’Ｂ、および３８５”Ｒ、３８５”Ｇ、３８５”Ｂにより代表されるカラーゾーンまたはピクセルのアレイを有してもよい。
【００５４】
結像デバイス１８５に近接配置し得る３６５、３６５’３６５”などの個々のレンチキュラを含むレンチキュラアレイ１６５を用いて２９４Ｒ、２９４Ｇ、２９４Ｂおよび２９４Ｒ’、２９４Ｇ’、２９４Ｂ’などの出射面の１つまたは複数を、３８５Ｒ、３８５Ｇ、３８５Ｂ、３８５’Ｒ、３８５’Ｇ、３８５’Ｂおよび３８５”Ｒ、３８５”Ｇ、３８５”Ｂなどの対応するカラーゾーンまたはピクセル上に結像することができる。レンチキュラは両凸または平凸レンズとしてもよい。いくつかの例示的実施形態において出射面の１つまたは複数をフィルタストライプ上に結像することができる。この場合、個々のレンチキュラのそれぞれは、異なるエミッタから発した異なる色に対応する光線の焦点を、結像デバイス１８５上の異なる場所に、例えば異なるカラーゾーンまたはピクセル上に合わせる。具体的にはレンチキュラ３６５”は出射面２９４Ｒ、２９４Ｇおよび２９４Ｂから発した赤色、緑色および青色光に対応する光線の焦点を結像デバイス１８５のカラーゾーンまたはピクセル３８５Ｒ”、３８５Ｇ”および３８５Ｂ”上に合わせる。さらに他の例示的実施形態に関して説明したように、出射面の形状をカラーゾーンまたはピクセルの形状に一致させることができる。このため各光源モジュールは多数のカラーゾーンまたはピクセルを含む結像デバイスの所定の区域を照明することができるため、その有効表面が実質的に照らされる。すべての発光モジュールとそれらの構成多色エミッタとを適正な出力レベルに較正することにより均一性が達成される。
【００５５】
さらに図９を参照すると、いくつかの例示的実施形態においてレンチキュラアレイ１６５および３８５Ｒ、３８５Ｇ、３８５Ｂ、３８５’Ｒ、３８５’Ｇ、３８５’Ｂ、３８５”Ｒ、３８５”Ｇ、３８５”Ｂなどのピクセルまたはカラーゾーンは約０．２ｍｍのピッチを有する。２９４Ｂ、２９４Ｇ、２９４Ｒなどの発光面は発光ストライプ、例えば約０．４ｍｍの中心間距離を有するＬＥＤストライプであってもよい。２１１および２１１’などのコリメートレンズを注意深く継ぎ合わせて均一な照明光線を生成することができるため、結像デバイス１８５が実質的に途切れることなく照らされる。代替的に発光面間の空間が約０．６ｍｍであり、レンチキュラ間のピッチが約０．３ｍｍおよび結像デバイス１８５のカラーゾーンまたはピクセル間が約０．１ｍｍであってもよい。２１１、２１１’などのコリメートレンズおよび２７２および２７２’などの関連する光源モジュールは特定の用途の要求に応じて六角形に密集またはデカルト格子に密集させてもよい。
【００５６】
さらに図９を参照すると照明システム２００は色に応じて角度分離される光線を生じる。その結果赤色光は結像デバイスの赤色カラーゾーン内を伝えられ、同様に青色および緑色光はそれぞれ青色および緑色カラーゾーン内を伝えられる。チャネリングの純度に応じて本開示のこのような実施形態と共にフィルタを用いても用いなくてもよい。特定の色が特定のピクセルに伝えられるため、例えば赤色光のみが赤色ゾーンを通過するため、純粋なチャネリングまたは実質的にクロストークのないチャネリングを本開示のいくつかの実施形態で達成することができる。さらに本開示によりＬＥＤモジュールなどの光源モジュールの利用が可能になり最良の照明の遠視野分布が得られる。
【００５７】
本開示の手法は多様な特定の用途用の照明システムの設計を単純化するとともに、光源モジュール、光学系および結像デバイスの多数の異なる構成を可能にする。本開示の例示的実施形態はＬＥＤなどの均等拡散タイプのエミッタからの光を従来のシステムより効率的に集光することが可能である。従ってより多くの光を照明対象に伝達できるため全体的な効率をより良好にする。加えて本開示の例示的実施形態はより良好な結像特性を有することができる。さらにまた本開示は使用する構成要素を減らし、小型で多目的で製造が容易且つ安価な照明システムの作製を可能にする。
【００５８】
特定の例示的実施形態を参照して本開示の照明システムを説明したが、当業者には本発明の要旨と範囲とから逸脱することなく変更および変形をなし得るということは容易に理解できよう。例えば本開示の様々な実施形態で用いられる光学素子系の寸法および構成は、特定の用途ならびに照明対象の性質および寸法に応じて変更可能である。加えて本開示の例示的実施形態は、本明細書と同時に出願された「照明システム（Ｉｌｌｕｍｉｎａｔｉｏｎ  Ｓｙｓｔｅｍ）」と題された代理人整理番号第５９３７３ＵＳ００２号の米国特許出願、およびに「整形光源モジュール（Ｒｅｓｈａｐｉｎｇ  Ｌｉｇｈｔ  Ｓｏｕｒｃｅ  Ｍｏｄｕｌｅｓ）」と題された代理人整理番号第５９５２６ＵＳ００２号の米国特許出願に記載された光学素子、構成要素およびシステムを組み込み得るが、これらの開示を本開示と矛盾しない限り本明細書に引用して援用する。さらに本開示は当業者には既知であるように、追加の光学素子を本開示により構成された照明システムの例示的実施形態内に含むことを検討している。
【００５９】
さらに当業者には本開示の実施形態を、白色ＬＥＤ、カラーＬＥＤ（例えば赤色、青色緑色または他の色）およびＲＧＢ  ＬＥＤモジュールなどマルチチップＬＥＤモジュールを始めとする様々な光源と一緒に用いることができるということは容易に理解できよう。ＲＧＢ  ＬＥＤは通例最高の色性能の達成を可能にするが、白色ＬＥＤは多くの用途にふさわしい。
【図面の簡単な説明】
【００６０】
【図１】本開示の例示的実施形態により構成された照明システムの概略断面図である。
【図２Ａ】非対称コントラスト増強開口の形状を実質的に近似するように配置された、関連する光学素子を有する光源モジュールのアレイの概略的正面図である。
【図２Ｂ】本開示の適切な例示的実施形態に含まれ得るレンズの六方最密アレイの拡大正面図である。
【図３】光源モジュールと関連するレンズレットとを示す、本開示の例示的実施形態により構成された照明システムの一部の拡大断面図である。
【図４Ａ】角錐集光器と関連するレンズレットとを有する光源モジュールを示す、本開示の他の例示的実施形態により構成された照明システムの一部の拡大断面図である。
【図４Ｂ】例示的角錐集光器の正面を介する例示的光源モジュールの出射面の概略正面図である。
【図５】バックライティング用途に特に有用である、本開示の他の例示的実施形態により構成された照明システムの概略断面図である。
【図６】投影用途に特に有用である、本開示の他の例示的実施形態により構成された照明システムの概略断面図である。
【図７】異なる色の出射面を有する光源モジュールの使用を図示する、本開示の例示的実施形態の一部の概略図である。
【図８】異なる色の出射面を有する光源モジュールを用いた本開示の例示的実施形態により構成された照明システムの概略断面図である。
【図９】異なる色の出射面を有する光源モジュールを用いた本開示の他の例示的実施形態により構成された照明システムの概略断面図である。
【図１】
2007524975.tif 000004
【図２Ａ】
2007524975.tif 000005
【図２Ｂ】
2007524975.tif 000006
【図３】
2007524975.tif 000007
【図４Ａ】
2007524975.tif 000008
【図４Ｂ】
2007524975.tif 000009
【図５】
2007524975.tif 000010
【図６】
2007524975.tif 000011
【図７】
2007524975.tif 000012
【図８】
2007524975.tif 000013
【図９】
2007524975.tif 000014
【国際調査報告】
2007524975.tif 000015
2007524975.tif 000016
2007524975.tif 000017